(57)【要約】【課題】従来と比して装置故障を低減するこができる。【解決手段】本発明は、クランプローラ３０及びクランプローラ３１をテープローラ３２よりも前方に配置し、上側テープ２４が上側ガイド２６に設けられるテープ通過孔２６Ａを通過しながら前方に向けて搬送路２８から徐々に離間するので、切れ目ＢＬ１ａを有する紙幣ＢＬ１を繰出す際に、上側テープ２４の上側から捲部ＢＬ１ｂを徐々に退避させ、テープローラ３２と上側テープ２４との間に捲部ＢＬ１ｂが挟まれることを防止し、捲部ＢＬ１ｂの破損等が発生することを低減できる。【選択図】図３
2014002720.tif 000002
【特許請求の範囲】
【請求項１】
第１のテープが巻きつけられる第１のリールと、
第２のテープが巻きつけられる第２のリールと、
前記第１のリール及び前記第２のリールから引出される前記第１のテープ及び前記第２のテープと共に紙葉類を巻き付けるドラムと、
前記ドラムから引出される前記第１のテープを案内する第１のテープ案内部と、
前記第１のテープ案内部により案内された前記第１のテープが前記ドラムから離れるに連れて前記紙葉類の搬送路から離れるように向きを変更させる第２のテープ案内部と
を有する紙葉類収納繰出し装置。
【請求項２】
前記搬送路上にある紙葉類を案内し、前記第１のテープが通過するテープ通過孔が設けられるガイドをさらに有し、
前記第２のテープ案内部は、
前記第１のテープ案内部により案内された前記第１のテープが前記テープ通過孔を通過して該第２のテープ案内部へ到達するよう案内する
請求項１に記載の紙葉類収納繰出し装置。
【請求項３】
前記テープ通過孔は、
前記搬送路に対向する一方の面における前記搬送方向に沿った長さが、前記一方の面とは反対側の他方の面における前記搬送方向に沿った長さよりも長い、前記搬送方向に沿った断面を略台形形状に形成する
請求項２に記載の紙葉類収納繰出し装置。
【請求項４】
前記略台形形状は、
前記搬送路に対向する一方の面と前記他方の面とを繋ぐ斜面により紙葉類を前記搬送路上に案内する
請求項３に記載の紙葉類収納繰出し装置。
【請求項５】
前記第１のテープ案内部は、
前記テープ通過孔の内部へ進行する前記第１のテープが当該第１のテープ案内部から離れる離別点を、前記テープ通過孔の前記搬送路に対向する一方の面における前記ドラム側の端部と一致させる
請求項２に記載の紙葉類収納繰出し装置。
【請求項６】
前記ガイドは、
搬送方向に直交する方向に沿って前記第１のテープ案内部の両側に設け、前記第１のテープ案内部の最下点よりも下方に最下点が位置するように前記搬送路と対向する面に突出し、前記ドラムから繰出される紙幣を前記搬送路側に押さえ付けるリブを有する
請求項２に記載の紙葉類収納繰出し装置。
【請求項７】
搬送方向に直交する方向に沿って前記第１のテープ案内部の両側に設けられ、前記第１のテープ案内部の最下点よりも下方に最下点が位置して前記ドラムから繰出される紙幣を前記搬送路側に押さえ付ける抑えローラをさらに有する
請求項２に記載の紙葉類収納繰出し装置。
【請求項８】
前記搬送路上において前記テープ通過孔を挟んで前記ドラムの反対側に位置し、外部から搬送される紙葉類を挟持して搬送路に沿って前記ドラムへ搬送すると共に、前記ドラムから繰出される紙葉類を挟持して搬送路に沿って外部に繰出すクランプローラをさらに有する
請求項２に記載の紙葉類収納繰出し装置。
【請求項９】
前記第２のテープ案内部は、
前記第１のテープが前記第１のテープ案内部から前記搬送路に対して鋭角に離れるような位置に配置する
請求項１に記載の紙葉類収納繰出し装置。
【請求項１０】
前記第２のテープ案内部は、
前記第１のテープが前記第１のテープ案内部から前記搬送路に対して１０度から６０度の範囲の角度で離れるような位置に配置する
請求項１に記載の紙葉類収納繰出し装置。
【請求項１１】
前記第１のテープ案内部は、
略円筒状に形成され、前記第１のテープの進行に伴い回転する
請求項１に記載の紙葉類収納繰出し装置。
【請求項１２】
前記第２のテープ案内部は、
略円筒状に形成され、前記第１のテープの進行に伴い回転する
請求項１に記載の紙葉類収納繰出し装置。
【請求項１３】
紙葉状の媒体に関する取引を受け付ける受付部と、
前記受付部の操作に応じて紙葉類を収納及び繰出す紙葉類収納繰出し装置と
を有し、
前記紙葉類収納繰出し装置は、
第１のテープが巻きつけられる第１のリールと、
第２のテープが巻きつけられる第２のリールと、
前記第１のリール及び前記第２のリールから引出される前記第１のテープ及び前記第２のテープと共に紙葉類を巻き付けるドラムと、
前記ドラムから引出される前記第１のテープを案内する第１のテープ案内部と、
前記第１のテープ案内部により案内された前記第１のテープが前記ドラムから離れるに連れて前記紙葉類の搬送路から離れるように向きを変更させる第２のテープ案内部と
を有する紙葉類取扱装置。
【発明の詳細な説明】
【技術分野】
【０００１】
本発明は、紙葉類収納繰出し装置及び紙葉類取扱装置に関するものである。例えば本発明は、紙葉類として紙幣を扱う現金自動取引装置に関するものである。
【背景技術】
【０００２】
従来、紙幣の入出金を顧客の操作に応じて行う現金自動取引装置は、例えば、利用者との間で紙幣の授受を行う接客部と、投入された紙幣の金種及び真偽を鑑別する鑑別部と、投入された紙幣を一時的に収納する一時保留部と、金種ごとに紙幣を保管する紙幣カセット等により構成している（例えば、特許文献１参照）。
【０００３】
利用者が接客部の紙幣入出金口に紙幣を投入すると、現金自動取引装置は、投入された紙幣を鑑別部で鑑別する。そして現金自動取引装置は、正常紙幣と鑑別した紙幣を一時保留部に収納する。一方、現金自動取引装置は、取引すべきでないと鑑別した紙幣を紙幣入出金口へ戻して利用者に返却する。
【０００４】
その後、利用者が入金金額を確定すると、現金自動取引装置は、一時保留部に収納している紙幣の金種を鑑別部で再鑑別し、鑑別した金種に応じて紙幣を各紙幣カセットへ保管する。
【０００５】
また利用者が出金金額を指定すると、現金自動取引装置は、各紙幣カセットから出金金額に応じた紙幣を接客部に搬送する。現金自動取引装置は、この紙幣を鑑別部で鑑別して、接客部の紙幣入出金口に集積する。
【０００６】
ここで、このような現金自動取引装置の一時保留部の構成について、図１４を用いて説明する。なお、図１４は一時保留部の側面図である。
【０００７】
一時保留部１００は、中央に左右方向（図中奥行き方向）に延在する円筒形状のドラム１０１を設け、該ドラム１０１の後方上側（図中左上）に上側リール１０２を設けている。さらに一時保留部１００は、ドラム１０１の後方下側（図中左下）に下側リール１０３を設けている。
【０００８】
ドラム１０１、上側リール１０２及び下側リール１０３は、駆動系（図示せず）を介して巻き取りモータ（図示せず）に接続し、回転可能となっている。
【０００９】
ドラム１０１は、上側リール１０２及び下側リール１０３の回転に応じて回転（図中反時計回り）することにより、上側リール１０２から引き出される上側テープ１０４と下側リール１０３から引き出される下側テープ１０５とを重ねるようにして巻き取る。
【００１０】
上側リール１０２及び下側リール１０３は、ドラム１０１の回転（図中時計回り）に応じて回転することにより、ドラム１０１に巻き取られた上側テープ１０４及び下側テープ１０５を巻き取る。
【００１１】
一時保留部１００は、ドラム１０１を上から覆うようにして上側ガイド１０６を設けている。さらにこの上側ガイド１０６の前側下方に、上側ガイド１０６の下面に沿って下側ガイド１０７を設けている。
【００１２】
上側ガイド１０６及び下側ガイド１０７は、一定の隙間が空くようにして配置している。当該隙間は、紙幣が通過する搬送路１０８となる。
【００１３】
上側ガイド１０６は、ドラム１０１のほぼ真上となる位置にガイドローラ１０９を設けている。ガイドローラ１０９は、ドラム１０１外周の頂上部分に上から当接する。
【００１４】
上側ガイド１０６は、クランプローラ１１０を設けている。下側ガイド１０７は、クランプローラ１１１を設けている。クランプローラ１１０及びクランプローラ１１１は、ドラム１０１の前方に、搬送路１０８を挟んで対向している。クランプローラ１１０及びクランプローラ１１１は、モータ（図示せず）により回転可能に接続される。
【００１５】
また上側ガイド１０６は、テープローラ１１２を設けている。下側ガイド１０７は、テープローラ１１３を設けている。テープローラ１１２及びテープローラ１１３は、クランプローラ１１０及びクランプローラ１１１より前方に、搬送路１０８を挟んで対向している。またテープローラ１１２及びテープローラ１１３は、紙幣が搬送路１０８を通過できる程度に離間して配置している。
【００１６】
さらに一時保留部１００は、テープローラ１１２の後上方に、テープローラ１１４を設けている。また一時保留部１００は、クランプローラ１１３の後下方に、テープローラ１１５を設けている。
【００１７】
上側テープ１０４は、上側リール１０２からテープローラ１１４に向かって引出され、テープローラ１１４に接するようにしてテープローラ１１２に引出される。そして上側テープ１０４は、テープローラ１１２により鈍角に折り返されてドラム１０１に掛け渡される。
【００１８】
下側テープ１０５は、下側リール１０３からテープローラ１１５に向かって引出され、テープローラ１１５に接するようにしてテープローラ１１３に引出される。そして上側テープ１０４は、テープローラ１１３により鈍角に折り返されてドラム１０１に掛け渡される。
【００１９】
このような構成でなる一時保留部１００は、紙幣ＢＬを収納する場合、搬送路１０８に沿って搬送される紙幣ＢＬをクランプローラ１１０及びクランプローラ１１１で挟んでドラム１０１側に搬送する。そして一時保留部１００は、上側テープ１０４と下側テープ１０５で紙幣ＢＬを挟持しながらドラム１０１で巻き取ることにより収納する。
【００２０】
また一時保留部１００は、紙幣ＢＬを繰出す場合、ドラム１０１に巻き取られた上側テープ１０４及び下側テープ１０５をそれぞれ上側リール１０２及び下側リール１０３に巻き取ることにより紙幣ＢＬをクランプローラ１１０及びクランプローラ１１１に搬送する。そして一時保留部１００は、クランプローラ１１０及びクランプローラ１１１により紙幣ＢＬを搬送路１０８に沿って繰出す。
【先行技術文献】
【特許文献】
【００２１】
【特許文献１】特開２０１１−１３４２２２公報
【発明の概要】
【発明が解決しようとする課題】
【００２２】
ところで、上述した一時保留部１００は、図１５に示すように、搬送方向（前後方向）に直交する前方の長辺に切れ目ＢＬ１ａを有する紙幣ＢＬ１を搬送する場合がある。
【００２３】
一時保留部１００では、切れ目ＢＬ１ａを有する紙幣ＢＬ１を繰出す場合、クランプローラ１１０及びクランプローラ１１１により紙幣ＢＬ１を挟持すると、該紙幣ＢＬ１における切れ目ＢＬ１ａよりも端側の一部（以下、これを捲部とも呼ぶ）ＢＬ１ｂが捲られてしまう。例えば、捲部ＢＬ１ｂが上側テープ１０４の上面に乗り上がってしまう可能性がある。
【００２４】
一時保留部１００は、紙幣ＢＬ１の捲部ＢＬ１ｂが上側テープ１０４の上面に乗り上げた状態で該紙幣ＢＬ１を搬送すると、捲部ＢＬ１ｂが上側テープ１０４とテープローラ１１２との間に挟まる。
【００２５】
捲部ＢＬ１ｂが上側テープ１０４とテープローラ１１２との間に挟まると、一時保留部１００では、紙幣ＢＬ１の搬送に伴って上側テープ１０４が捲部ＢＬ１ｂに引っ掛かって前方に引出されてしまう可能性がある。
【００２６】
また一時保留部１００では、上側テープ１０４とテープローラ１１２との間に捲部ＢＬ１ｂが挟まれて紙幣ＢＬ１が搬送されなくなり、後方から繰出される紙幣ＢＬ２が搬送路１０８内で詰まる可能性がある。
【００２７】
さらに一時保留部１００では、上側テープ１０４とテープローラ１１２との間に捲部ＢＬ１ｂが挟まれて動かなくなる。一方で一時保留部１００は、クランプローラ１１０及びクランプローラ１１１が、紙幣ＢＬ１における切れ目ＢＬ１ａを境にして、捲部ＢＬ１ｂがない本体部ＢＬ１ｃを搬送しようとする。
【００２８】
このとき、一時保留部１００では、紙幣ＢＬ１が切れ目ＢＬ１ａを境にして破れてしまい、本体部１３４を繰出す一方で、捲部ＢＬ１ｂを含む破損部ＢＬ１ｄが残留してしまう可能性がある。
【００２９】
一時保留部１００では、上述したようなことが起こると、テープ損傷などの装置故障を引き起こすといった問題があった。
【００３０】
本発明は以上の点を考慮したもので、装置故障を低減し得る紙葉類収納繰出し装置及び紙葉類取扱装置を提案しようとするものである。
【課題を解決するための手段】
【００３１】
かかる課題を解決するため本発明においては、紙葉類収納繰出し装置であって、第１のテープが巻きつけられる第１のリールと、第２のテープが巻きつけられる第２のリールと、第１のリール及び第２のリールから引出される第１のテープ及び第２のテープと共に紙葉類を巻き付けるドラムと、ドラムから引出される第１のテープを案内する第１のテープ案内部と、第１のテープ案内部により案内された第１のテープがドラムから離れるに連れて紙葉類の搬送路から離れるように向きを変更させる第２のテープ案内部とを有する。
【００３２】
また、搬送路上にある紙葉類を案内し、第１のテープが通過するテープ通過孔が設けられるガイドをさらに有し、第２のテープ案内部は、第１のテープ案内部により案内された第１のテープがテープ通過孔を通過して該第２のテープ案内部へ到達するよう案内するようにしても良い。
【００３３】
また、テープ通過孔は、搬送路に対向する一方の面における搬送方向に沿った長さが、一方の面とは反対側の他方の面における搬送方向に沿った長さよりも長い、搬送方向に沿った断面を略台形形状に形成してもよい。
【００３４】
また、ガイドは、搬送方向に直交する方向に沿って第１のテープ案内部の両側に、第１のテープ案内部の最下点よりも下方に最下点が位置するように搬送路と対向する面に突出され、ドラムから繰出される紙幣を搬送路側に押さえ付けるリブを有してもよい。
【００３５】
また、紙葉類収納繰出し装置は、搬送方向に直交する方向に沿って第１のテープ案内部の両側に設け、第１のテープ案内部の最下点よりも下方に最下点が位置してドラムから繰出される紙幣を搬送路側に押さえ付ける抑えローラをさらに有してもよい。
【００３６】
また、第２のテープ案内部は、第１のテープが第１のテープ案内部から搬送路に対して鋭角に離れるような位置に配置するようにしてもよい。
【００３７】
また、第２のテープ案内部は、第１のテープが第１のテープ案内部から搬送路に対して１０度から６０度の範囲の角度で離れるような位置に配置するようにしてもよい。
【００３８】
また本発明は、紙葉類取扱装置であって、紙葉状の媒体に関する取引を受け付ける受付部と、受付部の操作に応じて紙葉類を収納及び繰出す紙葉類収納繰出し装置とを有し、紙葉類収納繰出し装置は、第１のテープが巻きつけられる第１のリールと、第２のテープが巻きつけられる第２のリールと、第１のリール及び第２のリールから引出される第１のテープ及び第２のテープと共に紙葉類を巻き付けるドラムと、ドラムから引出される第１のテープを案内する第１のテープ案内部と、第１のテープ案内部により案内された第１のテープがドラムから離れるに連れて紙葉類の搬送路から離れるように向きを変更させる第２のテープ案内部とを有する。
【００３９】
これにより、搬送方向に沿って切れ目を有する紙葉類を外部に繰出す際に、紙葉類の切れ目を境にした端部が折り曲げられて第１のテープの上側に位置していたとしても、紙葉類と共に進行する第１のテープが搬送路から徐々に離れていくため、この端部を第１のテープの上側から徐々に退避させることができ、端部が第１のテープと他の部材との間に挟まってしまうことを防止することができる。
【発明の効果】
【００４０】
本発明によれば、搬送方向に沿って切れ目を有する紙葉類を外部に繰出す際に、紙葉類の切れ目を境にした端部が折り曲げられて第１のテープの上側に位置していたとしても、紙葉類と共に進行する第１のテープが搬送路から徐々に離れていくため、この端部を第１のテープの上側から徐々に退避させることができ、端部が第１のテープと他の部材との間に挟まってしまうといったことを防止することができ、かくして装置故障を低減することができる。
【図面の簡単な説明】
【００４１】
【図１】現金自動取引装置の構成を示す略線図である。
【図２】現金自動取引装置の内部構成を示す略線図である。
【図３】一時保留部の構成を示す略線図である。
【図４】一時保留部における搬送路周辺の構成を示す略線図である。
【図５】一時保留部の部分上面図である。
【図６】一時保留部の部分側面図である。
【図７】テープ通過孔の構成を示す略線図である。
【図８】切れ目を有する紙幣の繰出しの様子（１）を示す略線図である。
【図９】切れ目を有する紙幣の繰出しの様子（２）を示す略線図である。
【図１０】切れ目を有する紙幣の繰出しの様子（３）を示す略線図である。
【図１１】他の実施の形態における一時保留部の構成（１）を示す略線図である。
【図１２】他の実施の形態における一時保留部の構成（２）を示す略線図である。
【図１３】他の実施の形態における一時保留部の構成（３）を示す略線図である。
【図１４】従来の一時保留部の構成を示す略線図である。
【図１５】従来の一時保留部の部分上面図である。
【発明を実施するための形態】
【００４２】
以下、発明を実施するための形態について、図面を用いて詳細に説明する。
【００４３】
〔１．現金自動取引装置の全体構成〕
まず第１の実施の形態について説明する。図１に、第１の実施の形態における紙葉類取扱装置としての現金自動取引装置１の全体構成を示す。
【００４４】
現金自動取引装置１は、筐体２における前面に接客部３を設けている。接客部３は、操作表示部４、入出金口５、カード入出口６、テンキー７及びレシート発行口８を含む。
【００４５】
操作表示部４は、取引操作の際に顧客に対して取引内容の画像を表示する。操作表示部４は、例えば液晶ディスプレイやＥＬディスプレイ等でなる表示部と、顧客の操作入力を受け付けるタッチパネルとにより構成する。
【００４６】
入出金口５は、顧客との間で紙幣をやり取りする部分であり、入金時に顧客が媒体としての紙幣を投入する。入出金口５は、出金時には、収納部１０に収納した紙幣を顧客に支払う。
【００４７】
カード入出口６は、キャッシュカード等の各種カードを挿入または排出する部分である。カード入出口６の奥部には、各種カードに磁気記録している口座番号等の読み取りを行うカード処理部（図示せず）を設けている。
【００４８】
テンキー７は、操作表示部４に表示される取引内容の画面に応じて、顧客が暗証番号等を入力する部分である。テンキー７は、筐体２の前面に対して傾斜し略水平となり、かつ操作中の顧客の正面に位置するように配置しているので、背後にいる別の顧客に対して暗証番号等の入力を見られ難くしている。
【００４９】
レシート発行口８は、取引明細が印字されたレシートを発行する部分である。
【００５０】
現金自動取引装置１は、筐体２の内部に主制御部９、収納部１０等を設けている。主制御部９は、ＣＰＵ（Central Processing Unit）、ＲＡＭ（Random Access Memory）、ＲＯＭ（Read Only Memory）等でなるマイクロコンピュータ、ハードディスクドライブ等の記憶部９Ａ、ホストコンピュータとの接続口であるインターフェイス部を含む構成とし、各部を制御する。
【００５１】
収納部１０は、顧客が投入した紙幣や、顧客に対して支払う紙幣を金種別に収納する。
【００５２】
図２は、図１の現金自動取引装置１を左右方向から見た側面図であり、該現金自動取引装置１の内部構成のうち主に紙幣の処理に関する部分を示している。現金自動取引装置１は、入出金口５、鑑別部１２、一時保留部１３、リジェクト庫１４及び収納部１０等を設け、図中太線で示す搬送路１５を介して各部の間で紙幣を短辺方向に沿って搬送する。
【００５３】
鑑別部１２は、搬送路１５を介して搬送する紙幣の金種や真偽を判定する。一時保留部１３は、顧客との間で取引する紙幣を一時的に保留する。リジェクト庫１４は、鑑別部１２によって入出金不可と判定した紙幣を回収するものである。
【００５４】
現金自動取引装置１は、例えば顧客が紙幣を入金する入金取引を行う場合、主制御部９の制御に応じて、操作表示部４を介して所定の操作入力を受け付けた後、入出金口５に紙幣を受け付ける。
【００５５】
続いて主制御部９は、投入された紙幣を搬送路１５を介して鑑別部１２へ搬送して鑑別させ、正常紙幣と鑑別された紙幣を一時保留部１３へ搬送して一時的に保留する。一方、主制御部９は、取引すべきでないと鑑別された紙幣を入出金口５へ搬送して顧客に返却する。
【００５６】
その後、主制御部９は、操作表示部４を介して顧客に入金金額を確定させ、一時保留部１３に保留している紙幣を再び鑑別部１２へ搬送して金種を再鑑別させる。そして主制御部９は、鑑別された金種に応じて収納部１０の各カセットへ搬送し収納させる。
【００５７】
〔２．一時保留部の構成〕
一時保留部１３は、図３及び図４に示すように、中央に左右方向（図中奥行き方向）に延在する円筒形状のドラム２１を設け、該ドラム２１の後方上側（図中左上）に上側リール２２を設ける。さらに一時保留部１３は、ドラム２１の後方下側（図中左下）に下側リール２３を設ける。
【００５８】
ドラム２１、上側リール２２（第１のリールともいう。）及び下側リール２３（第２のリールともいう。）は、駆動系（図示せず）を介して巻き取りモータ（図示せず）に接続され回転可能となっている。
【００５９】
ドラム２１は、上側リール２２及び下側リール２３の回転に応じて回転（図中反時計回り）することにより、上側リール２２から引出される上側テープ２４（第１のテープともいう。）と下側リール２３から引出される下側テープ２５（第２のテープともいう。）とを重ねるようにして巻き取る。上側テープ２４及び下側テープ２５については、紙幣の搬送方向に直交する辺の長さよりも短い幅を有するものとして説明する。しかし、上側テープ及び下側テープ２５の幅は、特に限定されるものではない。
【００６０】
なお、上側テープ２４及び下側テープ２５がドラム２１から離間する位置、すなわちドラム２１の中心を通る線（図中破線）と下側テープ２５のうちドラム２１の直近の部分（すなわちドラム２１から引き出された直後の部分又はドラム２１に巻き取られる直前の部分）とが直角に交わる点を接点３６とする。
【００６１】
上側リール２２及び下側リール２３は、ドラム２１の回転（図中時計回り）に応じて回転することにより、ドラム２１に巻き取られた上側テープ２４及び下側テープ２５を巻き取る。
【００６２】
一時保留部１３は、ドラム２１を上から覆うようにして上側ガイド２６を設けている。図５及び図６に示すように、上側ガイド２６は、左右方向における中央の位置でテープローラ３２（第１のテープ案内部ともいう。）の前方に、上側テープ２４を通過させるためのテープ通過孔２６Ａを設けている。テープ通過孔２６Ａは、上側ガイド２６の上面から下面にかけて孔が前後方向に大きくなるように形成しており、断面が前後方向に略台形形状となる。
【００６３】
以下、テープ通過孔２６Ａをより詳細に説明する。テープ通過孔２６Ａは、図７に左側面図として示すように、上辺Ｎ１及び下辺Ｎ２と、上辺Ｎ１の端部と下辺Ｎ２の端部とをそれぞれ繋ぐ後辺Ｎ３及び前辺Ｎ４とからなる略台形形状である。略台形形状の上辺Ｎ１は、搬送路方向に沿った長さが略台形形状の下辺Ｎ２よりも短くなるように形成している。
【００６４】
テープ通過孔２６Ａは、後側において上辺Ｎ１の端部と下辺Ｎ２の端部を繋ぐ斜面である後辺Ｎ３の下辺Ｎ２に対する角度αが鋭角となるように形成している。角度αは、好ましくは１０度以上６０度以下である。
【００６５】
またテープ通過孔２６Ａは、前側において上辺Ｎ１の端部と下辺Ｎ２の端部を繋ぐ前辺Ｎ４の下辺Ｎ２に対する角度βが鋭角となるように形成している。角度βは、好ましくは１０度以上６０度以下である。
【００６６】
なお角度α及び角度βは、互いに等しい大きさであっても良く、異なる大きさであっても良い。またテープ通過孔２６Ａは、後述する角度θが鋭角となり、且つ、上側テープ２４がテープ通過孔２６Ａに当接しない程度の大きさであれば良い。
【００６７】
また一時保留部１３は、上側ガイド２６の前側下方に、上側ガイド２６の下面に沿って下側ガイド２７を設けている。
【００６８】
上側ガイド２６及び下側ガイド２７は、一定の隙間が空くようにして配置している。該隙間は、紙幣が通過する搬送路２８となる。
【００６９】
上側ガイド２６は、ドラム２１のほぼ真上となる位置で左右方向における中央にガイドローラ２９を設けている。ガイドローラ２９は、ドラム２１外周の頂上部分に上から当接する。
【００７０】
一時保留部１３は、上側ガイド２６にクランプローラ３０を設けると共に、下側ガイド２７にクランプローラ３１を設けている。クランプローラ３０及びクランプローラ３１は、ドラム２１の前方であって接点３６から紙幣の短手長さよりも短い位置であってテープ通過孔２６Ａよりも遠方に、搬送路２８を挟んで互いに対向している。またクランプローラ３０及びクランプローラ３１は、モータ（図示せず）により回転可能に接続される。
【００７１】
また一時保留部１３は、上側ガイド２６にテープローラ３２を設けると共に、下側ガイド２７にテープローラ３３を設けている。テープローラ３２及びテープローラ３３は、ドラム２１とクランプローラ３０及びクランプローラ３１との間に、互いに前後にずれた箇所から搬送路２８を挟むように位置している。またテープローラ３２及びテープローラ３３は、紙幣が搬送路２８を通過できる程度に離間して配される。因みに接点３６は、下側テープ２５がドラム２１から離間する位置であり、テープローラ３３は接点３６よりも下方に位置している。
【００７２】
さらに一時保留部１３は、テープローラ３２の前上方に、テープローラ３４（第２のテープ案内部ともいう。）を設けている。上側テープ２４は、上側リール２２から前方に配されるテープローラ３４に向かって引出される。そして上側テープ２４は、該テープローラ３４で折り返されて後下方に配されるテープローラ３２に向かってテープ通過孔２６Ａを通過するようにして引出され、テープローラ３２で向きを変更されるようにして後方のドラム２１に掛け渡される。
【００７３】
従って上側テープ２４は、テープローラ３２を基準として該テープローラ３２から前方に向かうに連れて搬送路２８から徐々に離間していく。
【００７４】
ここで図６に示すように、テープローラ３２及びテープローラ３４は、該テープローラ３２が設けられる位置での搬送路２８に対するテープローラ３２及び３４間の上側テープ２４の角度θが鋭角となる位置に配置している。
【００７５】
角度θは、可能な限り鋭角となることが望ましく、好ましくは１０度以上６０度以下である。
【００７６】
ここで、テープローラ３２において、テープローラ３４へ向けてテープ通過孔２６Ａの内部を進行する上側テープ２４が当該テープローラ３２から離れる箇所を離別点Ｐと定義する。また、テープ通過孔２６Ａの下辺Ｎ２における前側の端部をＱ点と定義する（図６）。
【００７７】
図３及び図４に示したように、ドラム２１から引出された上側テープ２４は、テープローラ３２の周側面に沿って進行方向を上向きに変化させてテープ通過孔２６Ａを通過する。角度θが最も鋭角となるのは、離別点Ｐがテープ通過孔２６ＡのＱ点（図６）と一致するようにテープローラ３２を配置する場合である。
【００７８】
上述したテープ通過孔２６Ａの後側において上辺Ｎ１の端部と下辺Ｎ２の端部を繋ぐ後辺Ｎ３の角度αは、テープローラ３２が設けられる位置での搬送路２８に対するテープローラ３２及びテープローラ３４間の上側テープ２４の角度θに応じて決定する。角度αは、少なくとも角度θよりも大きくなるように定めるとよい。このように定めた場合、上側ガイド２６は、テープ通過孔２６Ａの後辺Ｎ３の斜面と上側テープ２４との当接による損傷を未然に防止できる。
【００７９】
また、一時保留部１３は、テープローラ３３の後下方に、テープローラ３５を設けている。下側テープ２５は、下側リール２３から前方に配されるテープローラ３５に向かって引出され、該テープローラ３５で折り返されて上方に配されるテープローラ３３に向かって引出される。そして下側テープ２５は、テープローラ３３で折り返されて後方のドラム２１に掛け渡される。
【００８０】
このような構成でなる一時保留部１３は、紙幣ＢＬを収納する場合、搬送路２８に沿って搬送される紙幣ＢＬをクランプローラ３０及びクランプローラ３１で挟んでドラム２１側に搬送する。そして一時保留部１３は、上側テープ２４と下側テープ２５で紙幣ＢＬを挟持しながらドラム２１で巻き取ることにより収納する。
【００８１】
また一時保留部１３は、紙幣ＢＬを繰出す場合、ドラム２１に巻き取られた上側テープ２４及び下側テープ２５をそれぞれ上側リール２２及び下側リール２３に巻き取ることにより紙幣ＢＬをクランプローラ３０及びクランプローラ３１に搬送する。そして一時保留部１３は、該クランプローラ３０及びクランプローラ３１により紙幣ＢＬを搬送路２８に沿って繰出す。
【００８２】
ところで、一時保留部１３は、搬送方向（前後方向）に直交する前方の長辺に切れ目ＢＬ１ａを有する紙幣ＢＬ１を収納及び繰出すこともある。
【００８３】
一時保留部１３は、図８〜図１０に示すように、紙幣ＢＬ１を繰出す際、上側テープ２４及び下側テープ２５をそれぞれ上側リール２２及び下側リール２３に巻き取ることにより該紙幣ＢＬ１が搬送路２８に沿って前方に移動する。
【００８４】
クランプローラ３０及びクランプローラ３１は、テープローラ３２よりも前方に、すなわちテープ通過孔２６Ａよりも前方に配置しているので、図８に示すように、紙幣ＢＬ１がクランプローラ３０及びクランプローラ３１に挟まれる前にテープローラ３２の下方を通過する。
【００８５】
したがって一時保留部１３は、捲れ上がった紙幣ＢＬの端部ＢＬ１ｂをクランプローラ３０及び３１により上側テープ２４の上側に折り曲げてしまうことを未然に防止することができる。
【００８６】
一時保留部１３は、図９に示すように、さらに紙幣ＢＬ１を搬送路２８に沿って前方に移動させてテープ通過孔２６Ａの下方を通過させる。このとき一時保留部１３では、紙幣ＢＬ１の切れ目を境にして端側の部分（以下、これを捲部とも呼ぶ）ＢＬ１ｂが何れにも拘束されることなく自由に移動可能な状態であるのでテープ通過孔２６Ａ内に入り込むことがある。このような場合であっても一時保留部１３は、テープ通過孔２６Ａを上方から下方に向けて前後方向に広がる略台形形状の断面に形成しているので、前下がりに傾斜する斜面に沿って捲部ＢＬ１ｂを下方に押し下げる。
【００８７】
つまり一時保留部１３は、紙幣ＢＬ１を巻き取って収納する場合、搬送路２８に対し角度αをなす後辺Ｎ３の斜面に沿って捲部ＢＬ１ｂを下方に押し下げる。また一時保留部１３は、紙幣ＢＬ１を繰り出す場合、搬送路２８に対し角度βをなす前辺Ｎ４の斜面に沿って捲部ＢＬ１ｂを下方に押し下げる。したがって一時保留部１３は、紙幣ＢＬ１が搬送路２８に沿って進行する際に、該捲部ＢＬ１ｂがテープ通過孔２６Ａに引っ掛かることを防止できる。
【００８８】
一時保留部１３は、図１０に示すように、さらに紙幣ＢＬ１を搬送路２８に沿って前方に移動させ、クランプローラ３０及びクランプローラ３１で紙幣ＢＬ１を挟持させて搬送路２８に沿って前方に移動させる。このときクランプローラ３０及びクランプローラ３１が紙幣ＢＬ１の捲部ＢＬ１ｂを折り返してしまう（捲ってしまう）ことも考えられるが、一時保留部１３では、紙幣ＢＬ１の捲部ＢＬ１ｂがテープローラ３２の下方をすでに通過しているので、従来のような問題の発生を低減できる。
【００８９】
また一時保留部１３は、角度θ（図６）を鋭角とするようにテープローラ３２及び３４を配置しているため、紙幣ＢＬ１を繰り出す場合、上側テープ２４を搬送路２８から徐々に引き離すように進行させることができる。
【００９０】
これにより一時保留部１３は、仮に紙幣ＢＬ１の捲部ＢＬ１ｂが折り曲げられて上側テープ２４の上側に位置していたとしても、搬送路２８から徐々に離れていく上側テープ２４により、捲部ＢＬ１ｂを上側テープ２４の上側から徐々に退避させることができ、捲部ＢＬ１ｂが上側テープ２４と上側ガイド２６等の部材との間に挟まってしまうことを防止できる。
【００９１】
よって一時保留部１３は、テープ損傷などの装置故障を低減でき、かくして装置故障を低減することができる。
【００９２】
〔３．他の実施の形態〕
［３−１．他の実施の形態１］
上述した実施の形態においては、テープローラ３２の左右方向に紙幣ＢＬを下方向に抑える部材を設けない場合について述べたが、本発明はこれに限らず、テープローラ３２の左右方向に紙幣ＢＬを下方向に押し付ける部材を設けてもよい。
【００９３】
具体的には、図１１に示すように、一時保留部５０は、テープローラ３２から左右方向に所定距離だけ離間した抑えローラ５２及び抑えローラ５３を上側ガイド５１により回転自在に支持する。なお一時保留部５０は、一時保留部１３と比して、抑えローラ５２及び抑えローラ５３を設けている点で異なり、他の部分は同様である。また抑えローラ５２及び抑えローラ５３は、搬送方向に沿ってテープローラ３２が設けられる位置からテープ通過孔５１Ａが設けられる位置までの間に設けていればよい。
【００９４】
抑えローラ５２及び抑えローラ５３は、テープローラ３２よりも若干大きな径を有し、最下点がテープローラ３２の最下点よりも下方に位置する。
【００９５】
一時保留部５０は、紙幣ＢＬを繰出す際に、テープローラ３２の下方を通過する紙幣ＢＬを抑えローラ５２及び抑えローラ５３により紙幣ＢＬを搬送路２８上に抑え付ける。
【００９６】
これにより一時保留部５０は、上側テープ２４と下側テープ２５とが離間することにより紙幣ＢＬに対する挟持力が弱くなり上方に上がってしまう紙幣ＢＬを搬送路２８上に抑え付けることができ、テープ通過孔５１Ａで紙幣ＢＬ１の捲部ＢＬ１ｂが引っ掛かってしまうことをより防止することができる。
【００９７】
また別例として図１２に示すように、一時保留部６０は、上側ガイド６１におけるテープローラ３２から左右方向に所定距離だけ離間した位置に突出したリブ６１Ｂ及びリブ６１Ｃを設けている。リブ６１Ｂ及びリブ６１Ｃは、最下点がテープローラ３２の最下点よりも下方に位置する。
【００９８】
なお一時保留部６０は、一時保留部１３と比して、上側ガイド６１にリブ６１Ｂ及びリブ６１Ｃを設けている点で異なり、他の部分は同様である。またリブ６１Ｂ及びリブ６１Ｃは、搬送方向に沿ってテープローラ３２が設けられる位置からテープ通過孔６１Ａが設けられる位置までの間に設けていればよい。
【００９９】
一時保留部６０は、紙幣ＢＬを繰出す際に、テープローラ３２の下方を通過する紙幣ＢＬをリブ６１Ｂ及びリブ６１Ｃにより紙幣ＢＬを搬送路２８上に抑え付ける。
【０１００】
これにより一時保留部６０は、上側テープ２４と下側テープ２５とが離間することにより紙幣ＢＬに対する挟持力が弱くなり上方に上がってしまう紙幣ＢＬを搬送路２８上に抑え付けることができ、テープ通過孔６１Ａで紙幣ＢＬ１の捲部ＢＬ１ｂが引っ掛かってしまうことをより防止することができる。
【０１０１】
［３−２．他の実施の形態２］
上述した実施の形態においては、上側テープ２４及び下側テープ２５をそれぞれ１本ずつ設けるようにした場合について述べた。本発明はこれにかぎらず、複数本の上側テープ及び下側テープを設けるようにしてもよい。
【０１０２】
一例として図１３に示すように、一時保留部７０は、上側テープ２４（２４ａ、２４ｂ）及び下側テープ２５（２５ａ、２５ｂ）をそれぞれ２本ずつ設けている。この場合、一時保留部７０は、上側テープ２４（２４ａ、２４ｂ）を２本設けることに応じて、上側リール２２、テープローラ３２（３２ａ、３２ｂ）、テープローラ３４をそれぞれ２個ずつ設け、上側ガイド２６に上側テープ２４（２４ａ、２４ｂ）がそれぞれ通過するためのテープ通過孔２６Ａも２個設けている。
【０１０３】
また、一時保留部７０は、下側テープ２５（２５ａ、２５ｂ）を２本設けることに応じて、下側リール２３、テープローラ３３（３３ａ、３３ｂ）、テープローラ３５もそれぞれ２個ずつ設けている。なお一時保留部７０は、上述以外の構成は一時保留部１３と同様である。
【０１０４】
［３−３．他の実施の形態３］
さらに、上述した実施の形態では、テープローラ３２を円筒状に形成し、該テープローラ３２が上側テープ２４の進行に伴って回転するようにした場合について述べた。本発明はこれに限らず、テープローラ３２に代えて、回転しないテープ案内部を設けても良い。このテープ案内部は、平面又は曲面でなり表面が滑らかに形成された摺動面を有し、この摺動面に沿って上側テープ２４を摺動させる。これによりテープ案内部は、テープローラ３２と同様、上側テープ２４の進行方向を上向きに変化させることができる。テープローラ３４についても同様である。
【０１０５】
［３−４．他の実施の形態４］
さらに、上述した実施の形態では、紙葉類収納繰出し装置としての一時保留部１３に本発明を適用するようにしたが、これに限らず、例えば、紙幣以外の紙葉類を扱う装置の一時保留部に適用してもよい。要は、ドラムへ紙葉類を巻き取って収納し、収納した紙葉類をドラムから巻き戻して取り出すことが可能な紙葉類収納繰出し装置であれば適用することができる。
【０１０６】
［３−５．他の実施の形態５］
さらに、上述した実施の形態では、本発明を、紙葉類取扱装置としての現金自動取引装置１に適用したが、本発明は、これに限らず、ドラムへ紙葉類を巻き取って収納し、収納した紙葉類をドラムから巻き戻して取り出すことが可能な紙葉類取扱装置を備える紙葉類処理装置であれば、紙幣以外の紙葉類を扱うコピー機や、自動販売機、券売機など、種々の装置に適用することができる。
【０１０７】
［３−６．他の実施の形態６］
さらに、本発明は、上述した実施の形態と、上述した他の実施の形態とに限定するものではない。すなわち本発明は、上述した実施の形態と上述した他の実施の形態の一部または全部を任意に組み合わせた実施の形態や、一部を抽出した実施の形態にもその適用範囲が及ぶものである。
【産業上の利用可能性】
【０１０８】
本発明は、ドラムへ紙葉類を巻き取って収納し、収納した紙葉類をドラムから巻き戻して取り出すことが可能な紙葉類収納繰出し装置を備える現金自動取引装置や、コピー機、自動販売機、券売機などの装置で広く利用することができる。
【符号の説明】
【０１０９】
１……現金自動取引装置、１３……一時保留部、２１……ドラム、２２……上側リール、２３……下側リール、２４……上側テープ、２５……下側テープ、２６……上側ガイド、２６Ａ……テープ通過孔、２７……下側ガイド、２８……搬送路、２９……ガイドローラ、３０、３１……クランプローラ、３２〜３５……テープローラ。
【図１】
2014002720.tif 000003
【図２】
2014002720.tif 000004
【図３】
2014002720.tif 000005
【図４】
2014002720.tif 000006
【図５】
2014002720.tif 000007
【図６】
2014002720.tif 000008
【図７】
2014002720.tif 000009
【図８】
2014002720.tif 000010
【図９】
2014002720.tif 000011
【図１０】
2014002720.tif 000012
【図１１】
2014002720.tif 000013
【図１２】
2014002720.tif 000014
【図１３】
2014002720.tif 000015
【図１４】
2014002720.tif 000016
【図１５】
2014002720.tif 000017